(57)【要約】      （修正有）【課題】肩掛けの動作が極めて容易であり、また収納した果実に負荷がかかりにくいために果実が傷んでしまうという問題がなく、しかもその他の用途にも転用することが簡単に行うことができる農作業用肩掛け保持具を提供する。【解決手段】農作業用肩掛け保持具１１は、複数のフレーム部材１３を連結して構成され、上下の伸縮および左右の開閉を可能とした使用者の肩に吊り下げた上で腹部にかけて配設される肩掛け部１２と、肩掛け部と着脱可能に連結され、各種サイズの収納部材１５を収納可能とした収納部材保持部１４とを備え、収納部材には各種の果実のみならず、果実袋、果実用傘を含む農作業用の資材を収納できるようにする。【選択図】図６
0003219822.tif 000002
【実用新案登録請求の範囲】
【請求項１】
複数のフレーム部材を連結して構成され、上下の伸縮および左右の開閉を可能とした使用者の肩に吊り下げた上で腹部にかけて配設される肩掛け部と、
該肩掛け部と着脱可能に連結され、各種サイズの収納部材を収納可能とした収納部材保持部とを備え、
前記収納部材には各種の果実のみならず、果実袋、果実用傘を含む農作業用の資材を収納できるようにしたことを特徴とする農作業用肩掛け保持具。
【請求項２】
前記肩掛け部を構成するフレーム部材は、アルミ製フレーム部材からなることを特徴とする請求項１に記載の農作業用肩掛け保持具。
【請求項３】
前記肩掛け部を構成するフレーム部材は、少なくとも肩にかかる部分の内側に緩衝材が取り付けられていることを特徴とする請求項１または２に記載の農作業用肩掛け保持具。
【請求項４】
前記各種サイズの収納部材を収納可能とした収納部材保持部は、アルミ製フレーム部材からなることを特徴とする請求項１ないし３のいずれかにに記載の農作業用肩掛け保持具。
【請求項５】
前記収納部材は、各種の果実や果実袋、果実用傘の収納箱ないし収納ケースを含むことを特徴とする請求項１ないし４のいずれかにに記載の農作業用肩掛け保持具。
【考案の詳細な説明】
【技術分野】
【０００１】
本考案は、果実の収穫の際、あるいは果実袋、果実用傘を果実に取り付ける作業等において、各種サイズの収納部材を収納して保持することができ、かつ肩にかけて使用者の負担を軽減することが可能な農作業用肩掛け保持具に関するものである。
【背景技術】
【０００２】
従来、使用者の負担を軽減することが可能な農作業用の器具としては、実開昭５９−５２８２５号公報に示すような、上下端が開放した袋部と、この袋部の上端に設けられ袋部の上端を開口部に保形する一部が開放された縁部材と、上記袋部の上端に両端を連結して互いに交差する状態で設けられた２本の負紐と、上記袋部の下端に設けられたロープと、上記袋部の上端に設けられ上記ロープを係合させることにより上記袋部の下端部を折り畳んでこの下端閉口を閉塞した状態で保持する係止具とを具備した果実等の収穫袋が知られている。
【先行技術文献】
【特許文献】
【０００３】
【特許文献１】実開昭５９−５２８２５号公報
【考案の概要】
【考案が解決しようとする課題】
【０００４】
しかしながら、前記の果実等の収穫袋は袋部の上端に両端を連結して互いに交差する状態で設けられた２本の負紐を備えたものであり、前記負紐を頭から通して肩にかける必要があって、肩掛けの動作が面倒であった。
また、袋部の下端部を折り畳んでこの下端閉口を閉塞した状態で保持する係止具をも要部としていてそのセットに手間かかるとともに、収納した果実に負荷がかかりすぎて果実が傷んでしまうという問題があった。
【０００５】
そこでこの考案は、肩掛けの動作が極めて容易であり、また収納した果実に負荷がかかりにくいために果実が傷んでしまうという問題がなく、しかもその他の用途にも転用することが簡単に行うことができる農作業用肩掛け保持具を提供しようとするものである。
【課題を解決するための手段】
【０００６】
すなわちこの考案の農作業用肩掛け保持具は、複数のフレーム部材を連結して構成され、上下の伸縮および左右の開閉を可能とした使用者の肩に吊り下げた上で腹部にかけて配設される肩掛け部と、
該肩掛け部と着脱可能に連結され、各種サイズの収納部材を収納可能とした収納部材保持部とを備え、
前記収納部材には各種の果実のみならず、果実袋、果実用傘を含む農作業用の資材を収納できるようにしたことを特徴とするものである。
【０００７】
この考案の農作業用肩掛け保持具において、前記肩掛け部を構成するフレーム部材は、アルミ製フレーム部材からなることをも特徴とするものである。
【０００８】
この考案の農作業用肩掛け保持具において、前記肩掛け部を構成するフレーム部材は、少なくとも肩にかかる部分の内側に緩衝材が取り付けられていることをも特徴とするものである。
【０００９】
この考案の農作業用肩掛け保持具において、前記各種サイズの収納部材を収納可能とした収納部材保持部は、アルミ製フレーム部材からなることをも特徴とするものである。
【００１０】
この考案の農作業用肩掛け保持具において、前記収納部材は、各種の果実や果実袋、果実用傘の収納箱ないし収納ケースを含むことをも特徴とするものである。
【考案の効果】
【００１１】
請求項１の農作業用肩掛け保持具は、上下の伸縮および左右の開閉を可能とした使用者の肩に吊り下げた上で腹部にかけて配設される肩掛け部と、該肩掛け部と着脱可能に連結され、各種サイズの収納部材を収納可能とした収納部材保持部とを備えており、したがって前記収納部材に各種の果実のみならず、果実袋、果実用傘を含む農作業用の資材を簡単に収納できるようにしたものであるため、様々な用途に応じて多種の農作業用肩掛け保持具を用意する必要がなく、汎用性が高い上に低コストの農作業用肩掛け保持具を提供することができるようになった。
【００１２】
請求項２の農作業用肩掛け保持具は、前記肩掛け部を構成するフレーム部材をアルミ製フレーム部材としたものであるため、加工が容易でコストを削減することができ、また形状保持の能力や多少の変形が可能であることによって肩掛けに好適な素材とすることができる。
【００１３】
請求項３の農作業用肩掛け保持具は、農作業用肩掛け保持具において、前記肩掛け部を構成するフレーム部材は、少なくとも肩にかかる部分の内側に緩衝材を取り付けたものであり、使用者に大きな負担がかかることがないため長時間使用することができる。
【００１４】
請求項４の農作業用肩掛け保持具において、前記各種サイズの収納部材を収納可能とした収納部材保持部は、アルミ製フレーム部材としたものであり、加工が容易でコストを削減することができ、また形状保持の能力や多少の変形が可能であるので収納部材の保持に好適な素材とすることができる。
【００１５】
請求項５の農作業用肩掛け保持具において、前記収納部材は、各種の果実や果実袋、果実用傘の収納箱ないし収納ケースを含むものであって、共通の農作業用肩掛け保持具を使用しながら様々な用途に応用することができるようになった。
【図面の簡単な説明】
【００１６】
【図１】本考案の農作業用肩掛け保持具の第１実施例を示す概略平面図である。
【図２】その概略側面図である。
【図３】その概略斜視図である。
【図４】農作業用肩掛け保持具に果実等の収納部材をはめ込んだ状態を示す概略平面図である。
【図５】その概略側面図である。
【図６】その概略斜視図である。
【図７】作業者が第１実施例の農作業用肩掛け保持具に果実等の収納部材をはめ込んで使用している状態を示す概略斜視図である。
【図８】本考案の農作業用肩掛け保持具の第２実施例を示す概略斜視図である。
【図９】農作業用肩掛け保持具に果実等の収納部材をはめ込んだ状態を示す概略斜視図である。
【図１０】本考案の農作業用肩掛け保持具の第３実施例を示す概略斜視図である。
【図１１】農作業用肩掛け保持具に果実等の収納部材をはめ込んだ状態を示す概略斜視図である。
【考案を実施するための形態】
【００１７】
以下、本考案の農作業用肩掛け保持具を図面に基いてより詳細に説明する。
図１ないし図７に示す第１実施例の農作業用肩掛け保持具１１は、複数のフレーム部材１３を連結して構成され、図３に示すように、上下の伸縮および左右の開閉を可能とした使用者の肩に吊り下げた上で腹部にかけて配設される肩掛け部１２と、該肩掛け部１２と着脱可能に連結され、図４ないし図６に示すような各種サイズあるいは形状の収納部材１５を収納可能とした収納部材保持部１４とを備えている。
なお、前記収納部材１５には各種の果実のみならず、果実袋、果実用傘を含む農作業用の資材をも収納することができる。
したがって、様々な用途に応じて多種の農作業用肩掛け保持具１１を用意する必要がなく、汎用性が高い上に低コストの農作業用肩掛け保持具１１を提供することができる。
【００１８】
ちなみに、前記肩掛け部１２を構成するフレーム部材１３は、アルミ製フレーム部材とすることが望ましい。それによって、加工が容易でコストを削減することができ、また形状保持の能力や多少の変形が可能であることによって肩掛けに好適な素材とすることができるのである。
前記肩掛け部１２は、両肩に吊り下げられるように左右一対で構成されており、図３に示すように、フック状の肩パーツ１２ａと、該肩パーツ１２ａから使用者の体の前面に垂下するよう該肩パーツ１２ａの下端に連結された胸部パーツ１２ｂとを備え、前記肩パーツ１２ａは連結部位において前記胸部パーツ１２ｂに対して首振り可能であり、一対の肩パーツ１２ａの間隔を調節することができるようになっている。
また、前記肩パーツ１２ａと胸部パーツ１２ｂとは所定間隔の連結穴１２ｃを利用して所定位置で蝶ネジやビス等で固定することにより、長さを調節しながら連結することができる。
【００１９】
そして、前記肩掛け部１２を構成するフレーム部材１３は、少なくとも肩パーツ１２ａの内側に緩衝材１６が取り付けられている。この緩衝材１６は前記フレーム部材１３よりも幅広で、かつ発泡ウレタン等を所望の厚さに形成されており、使用者の方に大きな負荷がかかってもその負荷を緩衝して長時間の使用に耐えられるようになっている。
【００２０】
上述のように、この考案の農作業用肩掛け保持具１１は、前記肩掛け部１２の前記胸部パーツ１２ｂの下端と着脱可能に連結され、各種サイズの収納部材１５を収納可能とした収納部材保持部１４を備えている。
この各種サイズの収納部材１５を収納可能とした収納部材保持部１４も、アルミ製フレーム部材とすることが望ましい。そうすることによって、加工が容易でコストを削減することができ、また形状保持の能力や多少の変形が可能であるので収納部材１５の保持に好適な素材とすることができる。
【００２１】
前記収納部材保持部１４を構成するフレーム部材１７は、腹部に水平に当接する上下に一対の腹部パーツ１７ａ，１７ａと、該腹部パーツ１７ａ，１７ａから左右方向に延びて前記胸部パーツ１２ｂと蝶ネジやビス等で連結される連結部１７ｂとで構成されている。
【００２２】
しかも、前記腹部パーツ１７ａには一対のＬ字パーツ１７ｃが下方から水平に折り曲がるように所定間隔で配設されており、また上部の前記腹部パーツ１７ａの両側からは前方に向かって水平に伸びるように側部パーツ１７ｄが配設された上、該側部パーツ１７ｄの前端には下方に垂下するコ字状の底部パーツ１７ｅが配設されていてその底部において前記一対のＬ字パーツ１７ｃに固着されている。１７ｆは前記一対のＬ字パーツ１７ｃを前記底部パーツ１７ｅの前方で上向きに折返した、前記収納部材１５の脱落を防止する落下防止部である。
【００２３】
本実施例の農作業用肩掛け保持具において、前記収納部材１５としては、各種の果実や果実袋、果実用傘の収納箱ないし収納ケースを含ませることが可能であって、共通の農作業用肩掛け保持具を使用しながら様々な用途に応用することができるようになった。
また図７に示すように、両肩に均等に負荷がかかるようになって、長時間に使用に際して作業者への負担を大幅に軽減することができる。
【００２４】
図８および図９に示す第２実施例の農作業用肩掛け保持具２１においても、収納部材保持部２４を構成するフレーム部材２７は、腹部に水平に当接する上下に一対の腹部パーツ２７ａ，２７ａと、該腹部パーツ２７ａ，２７ａから左右方向に延びて、フレーム部材２３で構成される肩掛け部２２の胸部パーツ２２ｂと蝶ネジやビス等で連結される連結部２７ｂとで構成されている。
【００２５】
しかも、前記腹部パーツ２７ａには一対のＬ字パーツ２７ｃが下方から水平に折り曲がるように所定間隔で配設されており、また上部の前記腹部パーツ２７ａの両側からは前方に向かって水平に伸びるように側部パーツ２７ｄが配設された上、該側部パーツ２７ｄの前端には下方に垂下するコ字状の底部パーツ２７ｅが配設されていてその底部において前記一対のＬ字パーツ２７ｃに固着されている。２７ｆは前記底部パーツ２７ｅから前方に延長した上で上向きに折返した、収納部材２５の脱落を防止する落下防止パーツである。
【００２６】
図１０および図１１に示す第３実施例の農作業用肩掛け保持具３１においても、収納部材保持部３４を構成するフレーム部材３７は、腹部に水平に当接する上下に一対の腹部パーツ３７ａ，３７ａと、該腹部パーツ３７ａ，３７ａから左右方向に延びて、フレーム部材３３で構成される肩掛け部３２の胸部パーツ３２ｂと蝶ネジやビス等で連結される連結部３７ｂとで構成されている。
【００２７】
しかも、前記腹部パーツ３７ａには単一のＬ字パーツ３７ｃが下方から水平に折り曲がるように配設されており、また上部の前記腹部パーツ３７ａの両側からは前方に向かって水平に伸びるように側部パーツ３７ｄが配設された上、該側部パーツ３７ｄの前端には下方に垂下するコ字状の底部パーツ３７ｅが配設されていてその底部において前記Ｌ字パーツ３７ｃに固着されている。３７ｆは前記一対のＬ字パーツ３７ｃを前記底部パーツ３７ｅの前方で上向きに折返した、収納部材３５の脱落を防止する落下防止部である。
図において３８は、前記落下防止部３７ｆの端部に一端を固定され、他端を前記収納部材３５の上から前記腹部パーツ３７ａに結び付けて収納部材３５のぐらつきを防止するための安全紐である。
【００２８】
以上の農作業用肩掛け保持具１１，２１，３１において、前記収納部材１５，２５，３５は各種の果実や果実袋、果実用傘の収納箱ないし収納ケースとすることができる。
このように、前記収納部材１５，２５，３５を各種の果実や果実袋、果実用傘の収納箱ないし収納ケースとすることにより、共通の農作業用肩掛け保持具１１，２１，３１を使用しながら様々な用途に応用することができる。
【産業上の利用可能性】
【００２９】
この考案によれば、前記収納部材を各種の果実や果実袋、果実用傘の収納箱ないし収納ケースとすることにより、共通の農作業用肩掛け保持具を使用しながら様々な用途に応用することができる。
例えば桃や梨、葡萄、柿等の果実や、それらに被せる果実袋、果実用傘、あるいはその他の収穫物や農作業に使用する資材を前記収納部材に収納することができるのである。
【符号の説明】
【００３０】
１１  農作業用肩掛け保持具
１２  肩掛け部
１２ａ  肩パーツ
１２ｂ  胸部パーツ
１２ｃ  連結穴
１３  フレーム部材
１４  収納部材保持部
１５  収納部材
１６  緩衝材
１７  フレーム部材
１７ａ  腹部パーツ
１７ｂ  連結部
１７ｃ  Ｌ字パーツ
１７ｄ  側部パーツ
１７ｅ  底部パーツ
１７ｆ  落下防止部
２１  農作業用肩掛け保持具
２２  肩掛け部
２２ｂ  胸部パーツ
２３  フレーム部材
２４  収納部材保持部
２５  収納部材
２７  フレーム部材
２７ａ  腹部パーツ
２７ｂ  連結部
２７ｃ  Ｌ字パーツ
２７ｄ  側部パーツ
２７ｅ  底部パーツ
２７ｆ  落下防止パーツ
３１  農作業用肩掛け保持具
３２  肩掛け部
３２ｂ  胸部パーツ
３３  フレーム部材
３４  収納部材保持部
３５  収納部材
３７  フレーム部材
３７ａ  腹部パーツ
３７ｂ  連結部
３７ｃ  Ｌ字パーツ
３７ｄ  側部パーツ
３７ｅ  底部パーツ
３７ｆ  落下防止部
３８  安全紐
【図１】
0003219822.tif 000003
【図２】
0003219822.tif 000004
【図３】
0003219822.tif 000005
【図４】
0003219822.tif 000006
【図５】
0003219822.tif 000007
【図６】
0003219822.tif 000008
【図７】
0003219822.tif 000009
【図８】
0003219822.tif 000010
【図９】
0003219822.tif 000011
【図１０】
0003219822.tif 000012
【図１１】
0003219822.tif 000013